(57)【要約】【課題】木製小幅厚板を備えた耐火・耐震壁およびその構築方法を提供すること。【解決手段】木造構造物における土台または下部梁２４と上部梁２８と左右の柱１９との間に、壁厚方向の後面側に上下方向に接合用溝７を連続して設けた多数の木製小幅厚板１が垂直面上に並列して積み重ねるように配置されると共に土台または梁と柱に係合されて前部側壁面材６が設けられ、壁厚方向の前面側に上下方向に接合用溝７を連続して設けた多数の木製小幅厚板が垂直面上に並列して積み重ねるように配置されると共に土台または梁と柱に係合されて後部側壁面材８が設けられ、前部側壁面材６の後面と後部側壁面材８の前面との重合面を中心として対向する接合用溝相互により、閉鎖接合用孔９が間隔をおいて形成され、その閉鎖接合用孔９に楔式接合装置５が設けられて、前部側壁面材６と後部側壁面材８とが一体化されている。【選択図】図１
2013147829.tif 000002
【特許請求の範囲】
【請求項１】
木造構造物における土台または下部梁と上部梁と左右の柱との間に、
壁厚方向の後面側に上下方向に接合用溝を連続して設けた多数の木製小幅厚板が垂直面上に並列して積み重ねるように配置されると共に土台または梁と柱に係合されて前部側壁面材が設けられ、
壁厚方向の前面側に上下方向に接合用溝を連続して設けた多数の木製小幅厚板が垂直面上に並列して積み重ねるように配置されると共に土台または梁と柱に係合されて後部側壁面材が設けられ、
さらに、前部側壁面材の後面と後部側壁面材の前面との重合面を中心として対向する接合用溝相互により、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記各前部側壁面材及び後部側壁面材の溝長手方向に伸びる押圧用の楔式接合装置が設けられて、前部側壁面材と後部側壁面材とが一体化されていることを特徴とする木製小幅厚板を備えた耐火・耐震壁。
【請求項２】
前記接合用溝、又は２つの半分割接合用溝が溝幅方向に対称配置とされることにより形成される接合用溝は、溝幅方向の一端側及び他端側は対称形状とされ、かつ溝幅方向の一端及び他端の溝内側側壁面が、重合面に対して垂直な溝内側垂直壁面とこれに接続する係止用溝及び溝底部を備えた溝内側側壁面とされていることを特徴とする請求項１に記載の木製小幅厚板を備えた耐火・耐震壁。
【請求項３】
前記楔式接合装置は、楔用傾斜面を有する少なくとも一対の木製接合部材を備えていることを特徴とする請求項１に記載の木製小幅厚板を備えた耐火・耐震壁。
【請求項４】
土台または梁とこれに間隔をおいて立設される柱に設けられた溝に、壁厚方向の後面側に上下方向に接合用溝を連続して設けた多数の木製小幅厚板をその端部を嵌合するようにして、垂直面上に並列して積み重ねるように配置すると共に土台または梁と柱に係合させて前部側壁面材を設け、前記土台または梁とこれに間隔をおいて立設される柱に設けられた溝に、壁厚方向の前面側に上下方向に接合用溝を連続して設けた多数の木製小幅厚板の端部を嵌合するようにして、垂直面上に並列して積み重ねるように配置すると共に土台または梁と柱に係合させて後部側壁面材を設け、
次いで、前部側壁面材の後面と後部側壁面材の前面との重合面を中心として対向する接合用溝相互により、又は重合面を中心として対向する一方の接合用溝と他方の２つの半分割接合用溝とにより形成された各閉鎖接合用孔に、係止凸部を前記重合面を中心として対称に有する木製接合部材を複数挿入配置すると共に、かつ前記各木製接合部材の背面側に楔用傾斜面を有し、少なくとも対向する一対の楔用傾斜面を有する楔式接合装置であって、前記各前部側壁面材及び後部側壁面材の溝長手方向に伸びる押圧用の楔式接合装置を設けて、前部側壁面材と後部側壁面材とを一体化し、次いで、柱および一体化された前部側壁面材および後部側壁面材に支持させるように上部梁を設置することを特徴とする耐火・耐震壁の構築方法。
【発明の詳細な説明】
【技術分野】
【０００１】
本発明は、木造建築物に適用される木製小幅厚板を備えた耐火・耐震壁およびその構築方法に関する。
【背景技術】
【０００２】
従来、上下の梁間に間隔をおいて柱を建て込み、上下の各梁と左右の各柱に囲まれた部分に、１枚の広幅パネルまたは多数の角材を並列して集合した広幅パネルを建て込むことが知られている（例えば、特許文献１参照）。
【０００３】
また、前部側壁面材の後面側の係合用凹部が、後部側壁面材の前面側の係合用突部に係合し、前部側壁面材の後面側の係合用突部が後部側壁面材の前面係合用凹部に係合して、楔装置により前部側壁面材と後部側壁面材とが一体化されている木製小幅厚板を備えた耐火・耐震壁も知られている（例えば、特許文献２参照）。
【先行技術文献】
【特許文献】
【０００４】
【特許文献１】特開２００７−４６３３５号公報
【特許文献２】特開２００９−１４４３３８号公報
【発明の概要】
【発明が解決しようとする課題】
【０００５】
前記従来の場合は、壁に広幅のパネルとしているので、幅広で重量も重くなり、搬送設置に複数の人員が必要になるともに広幅パネルであるために一人での作業性が容易でないという問題があった。また、前部側壁面材の後面側の係合用凹部を、後部側壁面材の前面側の係合用突部に係合させる形態の場合には、一方の部材の係合用凸部に隣接して他方の部材の係合用凸部を配置するための係合用凹部を交互に作製することになるので、加工数が多く、高価になるという問題がある。
本発明は、前記の課題を有利に解消した木製小幅厚板を備えた耐火・耐震壁およびその構築方法を提供することを目的とする。
【課題を解決するための手段】
【０００６】
前記の課題を有利に解決するために、第１発明の木製小幅厚板を備えた耐火・耐震壁では、木造構造物における土台または下部梁と上部梁と左右の柱との間に、壁厚方向の後面側に上下方向に接合用溝を連続して設けた多数の木製小幅厚板が垂直面上に並列して積み重ねるように配置されると共に土台または梁と柱に係合されて前部側壁面材が設けられ、壁厚方向の前面側に上下方向に接合用溝を連続して設けた多数の木製小幅厚板が垂直面上に並列して積み重ねるように配置されると共に土台または梁と柱に係合されて後部側壁面材が設けられ、さらに、前部側壁面材の後面と後部側壁面材の前面との重合面を中心として対向する接合用溝相互により、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記各前部側壁面材及び後部側壁面材の溝長手方向に伸びる押圧用の楔式接合装置が設けられて、前部側壁面材と後部側壁面材とが一体化されていることを特徴とする。
第２発明では、第１発明の木製小幅厚板を備えた耐火・耐震壁において、前記接合用溝、又は２つの半分割接合用溝が溝幅方向に対称配置とされることにより形成される接合用溝は、溝幅方向の一端側及び他端側は対称形状とされ、かつ溝幅方向の一端及び他端の溝内側側壁面が、重合面に対して垂直な溝内側垂直壁面とこれに接続する係止用溝及び溝底部を備えた溝内側側壁面とされていることを特徴とする。
第３発明では、第１発明又は第２発明の木製小幅厚板を備えた耐火・耐震壁において、前記楔式接合装置は、楔用傾斜面を有する少なくとも一対の木製接合部材を備えていることを特徴とする。
第４発明の耐火・耐震壁の構築方法においては、土台または梁とこれに間隔をおいて立設される柱に設けられた溝に、壁厚方向の後面側に上下方向に接合用溝を連続して設けた多数の木製小幅厚板をその端部を嵌合するようにして、垂直面上に並列して積み重ねるように配置すると共に土台または梁と柱に係合させて前部側壁面材を設け、前記土台または梁とこれに間隔をおいて立設される柱に設けられた溝に、壁厚方向の前面側に上下方向に接合用溝を連続して設けた多数の木製小幅厚板の端部を嵌合するようにして、垂直面上に並列して積み重ねるように配置すると共に土台または梁と柱に係合させて後部側壁面材を設け、次いで、前部側壁面材の後面と後部側壁面材の前面との重合面を中心として対向する接合用溝相互により、又は重合面を中心として対向する一方の接合用溝と他方の２つの半分割接合用溝とにより形成された各閉鎖接合用孔に、係止凸部を前記重合面を中心として対称に有する木製接合部材を複数挿入配置すると共に、かつ前記各木製接合部材の背面側に楔用傾斜面を有し、少なくとも対向する一対の楔用傾斜面を有する楔式接合装置であって、前記各前部側壁面材及び後部側壁面材の溝長手方向に伸びる押圧用の楔式接合装置を設けて、前部側壁面材と後部側壁面材とを一体化し、次いで、柱および一体化された前部側壁面材および後部側壁面材に支持させるように上部梁を設置することを特徴とする。
【発明の効果】
【０００７】
本発明によると、重合面を中心として対向する一方の接合用溝と他方の２つの半分割接合用溝とにより形成された各閉鎖接合用孔に、係止凸部を前記重合面を中心として対称に有する木製接合部材を複数挿入配置すると共に、かつ前記各木製接合部材の背面側に楔用傾斜面を有し、少なくとも対向する一対の楔用傾斜面を有する楔式接合装置であって、前記各前部側壁面材及び後部側壁面材の溝長手方向に伸びる押圧用の楔式接合装置を設けて、前部側壁面材と後部側壁面材を一体化するので、確実に前部側壁面材と後部側壁面材を一体化することができる。
本発明によると、耐震壁を構成する部材として鋼材に比べて柔軟性がありかつ板厚の厚い多数の木製小幅厚板を使用したので、圧縮力または引張力あるいはせん断力を負担する耐震壁用の部材として強度が大きく、また、大型で広幅の木製パネルを使用する場合に比べて、安価な間伐材等を有効に利用することができ、また、板厚も厚いので耐火性も確保することができ、耐火性および耐震性のある安価な耐火耐震壁とすることができる。
また、柱と梁の間に配置された前面壁面材と後面壁面材とが一体化されているので、地震動時において、水平力が入力された場合、前面壁面材および後面壁面材が共同して抵抗して、柱または梁に圧縮力または引張力あるいはせん断力等の応力を伝達させることができる効果が得られる。
また、本発明の小幅厚板は、間伐材を有効に活用することができるので、安価な小幅厚板を間伐材から製作することができる。
また、本発明の耐火・耐震壁の構築方法によると、土台または梁と柱とに設けた溝に、端部が係合するように前部側壁面材あるいは後部側壁面材を積み重ね配置すると共に、前部側壁面材および後部側壁面材の各小幅厚板の接合用溝形成される接合用孔に楔式接合装置を設置して一体化するので、安価な小幅厚板を使用して、柱の間に容易に耐震壁を構築することができる。また、小幅厚板を使用するので、耐火壁とすることができる。
【図面の簡単な説明】
【０００８】
【図１】本発明の第１実施形態の木製小幅厚板を備えた耐火・耐震壁を示す正面図である。
【図２】本発明の第１実施形態の木製小幅厚板を備えた耐火・耐震壁を組み立てている途中の状態を示す正面図である。
【図３】（ａ）は図１のＡ−Ａ線断面図、（ｂ）図１のＢ−Ｂ線断面図で、（ｃ）は前部側壁面材を構成している小幅厚板を厚くした形態で、図１のＡ−Ａ線断面図に相当する断面図、（ｄ）は前部側壁面材及び後部側壁面材を構成している各小幅厚板を厚くした形態で、図１のＡ−Ａ線断面図に相当する断面図である。
【図４】（ａ）（ｃ）は閉鎖接合用孔に一対の接合用部材を圧入して、部材相互を接合した状態を示す横断平面図、（ｂ）（ｄ）は部材相互の接合用溝を対称に合せて閉鎖接合用孔を形成した状態を示す横断平面図と、２つの部材による不完全な接合用溝による接合用溝と一つの部材の接合用溝とを対称に合せて閉鎖接合用孔を形成した状態を示す横断平面図である。
【図５】（ａ）は一対の木製接合部材による楔式接合装置をその幅を狭めた状態で閉鎖接合用孔内に挿入して拡幅する直前の状態を示す縦断正面図、（ｂ）は横断平面図である。
【図６】（ａ）は一対の木製接合部材を拡幅して閉鎖接合用孔の内周面に圧着した状態を示す縦断正面図、（ｂ）は横断平面図である。
【図７】（ａ）は、傾斜面及び境界段差部を有する２つの楔片を有する楔装置と木製接合部材により前部側壁面材と後部側壁面材を接合した状態を示す横断平面図、（ｂ）は直列に楔片を配置した木製の楔式接合装置を取り出して示す縦断正面、（ｃ）は木製の楔式接合装置を取り出して示す正面断面図で（ｂ）図の矢視端面図である。
【図８】本発明の第２実施形態の木製小幅厚板を備えた耐火・耐震壁を示す正面図である。
【図９】本発明の第２実施形態の木製小幅厚板を備えた耐火・耐震壁を示す一部切欠き正面図である。
【図１０】（ａ）は図８のＡ−Ａ線断面図、（ｂ）は図８のＢ−Ｂ線断面図で、（ｃ）は前部側壁面材を構成している小幅厚板を厚くした形態で、図８のＡ−Ａ線断面図に相当する断面図、（ｄ）は前部側壁面材及び後部側壁面材を構成している各小幅厚板を厚くした形態で、図８のＡ−Ａ線断面図に相当する断面図である。
【図１１】本発明の第３実施形態の木製小幅厚板を備えた耐火・耐震壁を示す正面図である。
【図１２】本発明の第３実施形態の木製小幅厚板を備えた耐火・耐震壁を示す一部切欠き正面図である。
【図１３】（ａ）は図１１のＡ−Ａ線断面図、（ｂ）は図１１のＢ−Ｂ線断面図で、（ｃ）は前部側壁面材を構成している小幅厚板を厚くした形態で、図１１のＡ−Ａ線断面図に相当する断面図、（ｄ）は前部側壁面材及び後部側壁面材を構成している各小幅厚板を厚くした形態で、図１１のＡ−Ａ線断面図に相当する断面図である。
【図１４】他の形態の楔式接合装置を示すものであって、（ａ）は一対の木製接合部材による楔式接合装置の幅を狭めた状態を示す正面図、（ｂ）は一対の木製接合部材による楔式接合装置の幅を広げた状態を示す正面図である。
【発明を実施するための形態】
【０００９】
次に、本発明を図示の実施形態に基づいて詳細に説明する。
【００１０】
図１〜図３（ａ）（ｂ）には、本発明の第１実施形態の木製小幅厚板を備えた耐火・耐震壁３が示されている。前記耐火・耐震壁３に用いられる前面側の木製小幅厚板１及び後面側の木製小幅厚板２は、鉛直又は傾斜配置されて使用され、各前面側の木製小幅厚板１の後面側と、各後面側の木製小幅厚板２の前面側とには、左右方向に同じピッチで、鉛直な接合用溝７が一つ又は複数形成されている。また、図４（ｂ）又は（ｄ）には、本発明において使用される木製小幅厚板１を用いた前部側壁面材６と木製小幅厚板２を用いた後部側壁面材８との重合面１１を中心として対称な接合用溝７相互により形成される閉鎖接合用孔９と、前面側の上下の木製小幅厚板１の接合用溝７の接続部と後面側の上下の木製小幅厚板２の接合用溝７の接続部では、上下２つで前後４つの接合用溝７により形成される閉鎖接合用孔９とが示されていると共に、図４（ａ）又は（ｃ）には、閉鎖接合用孔９に設置された楔式接合装置５により、前部側壁面材６と後部側壁面材８が接合された状態が示されている。
【００１１】
前部側壁面材６又は後部側壁面材８を構成するための個々の小幅厚板１は、正面視で点対称な菱形、或いは正面視で左右対称な長方形又は隅部では、三角形に切断されて使用される。なお、このように切断されて使用する場合には、小幅厚板１に設けられる接合用溝７は、小幅厚板１を積み重ねた場合にその鉛直な上下方向で連続するように、また位相が合致するように、作製された小幅厚板１が使用される。
【００１２】
本発明においては、木製柱、木製梁、木製板材であるので、以下では単に、主として、柱、梁、板で記載する。また、本発明において使用する小幅厚板１としては、板厚が２５〜６０ｍｍ以上、このましくは、前後の複数の小幅厚板１相互を一体化した壁パネル状の板厚で、その板厚が耐火性を確保するために少なくとも６０ｍｍであり、小幅厚板１の幅寸法が１００ｍｍ〜３００ｍｍに加工（製品化）された厚板部材が使用される。
【００１３】
先ず、図４及び図５を参照しながら、本発明において使用される前部側の小幅厚板１および後部側の小幅厚板２について説明すると、これらの小幅厚板は、予め工場等においてプレカットされた細幅パネル状のものであり、前部側および後部側の各小幅厚板１、２は、木製小幅厚板である。この第１実施形態では、便宜上、前部側の小幅厚板１と後部側の小幅厚板２と、符号を分けて使用している。前部側の小幅厚板１の素材及び後部側の小幅厚板２の素材は共に同じ板厚の木材であり、それらの部材の鉛直・傾斜等の配置状態にかかわらず、そられの素材の後面或いは正面側の表面に接合用溝７を鉛直に設けることで、前部側の小幅厚板１或いは後部側の小幅厚板２としている。
【００１４】
前部側の小幅厚板１では、その裏面側に、前部側の小幅厚板１の配置傾斜角度にかかわらず、鉛直となるように、部材長手方向の軸線に対して右上がりに傾斜させて、接合用溝７を形成している。そのため、接合用溝７は、部材の上下の幅方向の端部では、水平断面で考えた場合には、不完全な接合用溝となるが、上下の小幅厚板１の接合用溝が直列に接続することで完全な接合用溝を形成している。したがって、接合用溝７は、部材を配置した場合の鉛直幅方向の全幅に渡って設けられている。
【００１５】
図示の形態では、前部側の小幅厚板１は、土台２４又は梁２４に対して４５°の傾斜角で右上がりに傾斜させて配置している。また、正面視又は平面視で、前部側の小幅厚板１の背面側に、４５°の傾斜角で、右上がりに、接合用溝７を一定のピッチで設けている。このように前部側の小幅厚板１の背面側に設けることで、前部側の小幅厚板１を４５°に傾斜させて配置した場合に、接合用溝７が鉛直方向となるようにされている。前部側の小幅厚板１を傾斜して配置するために、接合用溝７は部材の端部側では、水平方向に部材を切断した場合に、完全な接合用溝とならず、半分割接合用溝等の分割された形態の分割接合用溝となっている。そのため、水平方向の部材断面を検討した場合、傾斜した下位に位置する前部側の小幅厚板１における間隔をおいた接合用溝７の上端部側は、同様に傾斜した上位に位置する前部側の小幅厚板１における間隔をおいた接合用溝７の下端側に接続することで、上下の接合用溝７により、一つの接合用溝を形成していることになる。
【００１６】
また、同様に、後部側の小幅厚板２は、土台又は梁２４に対して４５°の傾斜角で右下がりに傾斜させて配置している。また、正面視又は平面視で、後部側の小幅厚板２の前面側に、４５°の傾斜角で、右下がりに、接合用溝７を、前部側と同じピッチで設けている。このように後部側の小幅厚板２の前面側に設けることで、後部側の小幅厚板２を４５°に傾斜させて配置した場合に、接合用溝７が鉛直方向となるようにされている。後部側の小幅厚板１を前記前部側の小幅厚板２に対して正面視で交差するように傾斜して配置するために、接合用溝７は部材の端部側では、水平方向に部材を切断した場合に、完全な接合用溝とならず、半分割接合用溝等の分割された形態の分割接合用溝となっている。そのため、水平方向の部材断面を検討した場合、傾斜した下位に位置する前部側の小幅厚板１における間隔をおいた接合用溝７の上端部側は、同様に傾斜した上位に位置する前部側の小幅厚板１における間隔をおいた接合用溝７の下端側に接続することで、上下の接合用溝７により、一つの接合用溝を形成していることになる。
【００１７】
この第１実施形態では、前部側の小幅厚板１と後部側の小幅厚板２とは同じ板厚部材を使用しているため、前部側の小幅厚板１を１８０°反転配置して、後部側の小幅厚板２と使用しているため、前部側である部分に配置されている小幅厚板１は、同レベルにおいて１８０°反転配置して、後部側の小幅厚板２として使用されている。
【００１８】
図３（ｂ）では、前部側の小幅厚板１と後部側の小幅厚板２の板厚を柱１９の前後の厚み寸法の１／２より薄い寸法の厚板を用いた真壁とした形態で、図３（ｃ）では、前部側の小幅厚板１を柱１９の前面までの厚板として片面大壁とした形態で、図３（ｄ）では、前部側の小幅厚板１及び後部側の小幅厚板２を、柱１９の前面又は後面までの厚板として両面大壁とした形態である。
【００１９】
第１実施形態では、前部側の小幅厚板１の傾斜方向を右上がりに、及び後部側の小幅厚板２の傾斜方向を右下がりに傾斜させているが、前部側の小幅厚板１の傾斜方向を右下がりに、及び後部側の小幅厚板２の傾斜方向を右上がりに傾斜させてもよい。前部側の小幅厚板１及び後部側の小幅厚板２の傾斜角度は適宜設定される。
【００２０】
前記第１実施形態では、木製小幅厚板は、その片面に接合用溝７を連続して形成されるため、前部側壁面材あるいは後部側壁面材を組み立てる部材として配置されて使用される形態により、同じ部材であっても１８０°反転配置しているため、前記の接合用溝７を設ける側が、第１実施形態では前後面（表裏）で異なる。
【００２１】
すなわち、室内側に位置する後部側壁面材８（図１、図３参照）を組み立てる部材として使用する場合の後部側の小幅厚板２では、その前面側に、部材長手方向に接合用溝７が一定のピッチで連続して設けられ、前記の接合用溝７は、小幅厚板２の幅一杯に形成される。また、後部側壁面材８を組み立てる部材として使用する小幅厚板２の後面側は、この形態では、平坦面とされている。
【００２２】
また、室外側に位置する前部側壁面材６（図１、図３参照）を組み立てる部材として小幅厚板１を使用する場合では、その後面側に、部材長手方向に接合用溝７が一定のピッチで連続して設けられ、前記の接合用溝７は、小幅厚板１の幅一杯に形成される。また、前部側壁面材６を組み立てる部材として使用する小幅厚板１の前面側（室外側）は、この形態では、平坦面とされている。
【００２３】
ここで、接合用溝７の形態について説明すると、前記の各接合用溝７は、開口部側の幅寸法よりも溝奥部側の幅寸法が大きい接合用溝７とされている。好ましくは、図示の形態のように蟻溝とされている。
【００２４】
第１実施形態を含む各実施形態では、各小幅厚板を配置した状態の平面視では、接合用溝７は、溝幅方向（図３〜図６の左右方向）に直角な中心軸線に対して左右対称形状の形態とされ、前部側の小幅厚板１の後面及び後部側の小幅厚板２の前面の接合面を中心にして対称となるように重合されて各接合用溝７が対称に合わさることで形成される閉鎖接合用孔９も、溝幅方向に直角な中心軸線に対して左右対称形状の断面形態とされている。
【００２５】
前記のように、接合用溝７の溝幅方向の一端側及び他端側は対称形状とされている。すなわち、溝幅方向の一端及び他端の溝内側側壁面が、重合面１１に対して垂直な溝内側垂直壁面１３とこれに接続する係止用溝１４及び溝底部を備えた溝内側側壁面とされている。前記の係止用溝１４が重合される内側面から離れて形成されていることで、接合用溝７の溝幅方向の両側には、前記係止用溝１４を形成するための係止凸部２９が対向して突出するように形成されている。前記係止凸部２９における重合面１１より側の傾斜面の傾斜角は、例えば、例えば、５°〜２０°程度（例えば、５°、１０°、１５°、２０°）でよく、この角度は小さい角度であるほうが、係止凸部２９に作用する曲げ力が小さくなるので望ましい。他の実施形態でも同様である。前記係止凸部２９の傾斜角は、楔式接合装置５における木製接合部材４側の対向する係止凸部１２の内側傾斜面の傾斜角と同じに設定されている。
【００２６】
水平面で考えた場合に、接合用溝７は、上下の部材相互の接合用溝７が直列に対称に合わさることで形成される場合もあり、したがって、閉鎖接合用孔９は、２つの部材の接合用溝７が合わさることで形成される接合用溝７と、その接合用溝７と重合面１１を中心に対称な反対側の接合用溝７とが合わさることで形成される場合もある。
【００２７】
前記のような、前部側の小幅厚板１と後部側の小幅厚板２は、組み立て時において、便宜上、上部梁２８を上方に浮かした状態の図２で説明すると、上部梁２８が柱１９の胴付き部２０に架設されない状態（好ましくは、上部梁２８の縦孔２１内に柱１９のほぞ２２が係合して胴付き部２０に載置されない状態で、上部梁２８下面側の溝２３の深さ以上に浮かされた状態）において、土台または下部梁２４（および上部梁２８）と２つの柱１９の間の開口部内に、土台または下部梁２４に対して４５°に傾斜した状態で配置されるため、所定長さにされた小幅厚板１の部材長手方向の両端部は、４５°に傾斜した状態で切断され、そして配置される箇所により、例えば、下隅部または上隅部に配置される部材では、正面視で直角２等辺三角形に、中間部下側に配置される部材では正面視で左右対称な台形に、中間部上側に配置される部材では、正面視で点対称な菱形の形態に製作される。また、中間部におけるコーナー部に配置される部分を含む部材では、コーナー部側では、直角な角部を含む形態の部材が使用される。
【００２８】
前記のような、前部側の小幅厚板１と後部側の小幅厚板２とを使用して、耐火・耐震壁３を構築する場合について図２および図１を参照して説明する。
【００２９】
図２に示すように、木製土台または木製下部梁２４の上面および木製上部梁２８の下面には、その幅方向の中間部に長手方向に連続する溝２３が設けられ、また、木製土台または木製下部梁２４あるいは木製上部梁２８には、その長手方向に間隔をおいて、角形の凹部等の縦孔または貫通孔２１が設けられている。
【００３０】
上下両端部に断面角形状のほぞ２２、２２を有する柱１９が間隔をおいて立設配置され、各柱の前記下部ほぞ２２が土台または下部梁２４の貫通孔２１に嵌合されると共に、梁２４の前後の各角形横孔２６と柱１９のほぞ２２に設けた角形横孔２６とに渡って、断面角形の込栓３１が圧入固定されて、土台または下部梁２４に柱１９が立設固定され、土台または下部梁２４と間隔をおいた一対の柱１９および一対の柱１９の上端部の胴付き部から上部梁２８を適宜外した状態、又は浮かした状態のフレーム構造が構築される。
前記の上部梁２８を下位に位置する柱９の胴付き部２０から浮かす高さ寸法は、上部梁２８下面側に設ける溝２３の深さ寸法よりも多く、例えば、中間部の長尺の小幅厚板の一端側を柱１９の溝２３又は梁２４の溝２３に挿入係合させた状態で、他端側を柱１９の溝２３に落とし込んで設置可能にしておく必要がある。又は、後記の楔式接合装置５を設置可能なようにするための空間を形成しておく。このようにすることにより、前後の壁面材を構成するための小幅厚板を下から順に積み重ねるように配置することができる。
【００３１】
前記のように、上部梁２８が外された又は図示のように適宜浮かされた状態で、前部側の小幅厚板１が、図２の右下隅部から順に、正面視で直角２等辺三角形の小幅厚板１が土台または下部梁２４および柱１９の溝２３に嵌合するように配置され、その正面視で直角２等辺三角形状の小幅厚板１における右上から左下方向の４５°に傾斜している傾斜上面に、正面視左右対称な台形状の小幅厚板１が土台または下部梁２４および柱１９の溝２３に嵌合された状態で順次複数積み重ねられる。
【００３２】
直角な角部を有する正面視左右非対称の小幅厚板１の傾斜上面に、ほぼ耐震壁の対角方向中央に位置し、正面視で左右両端部が点対称で菱形の小幅厚板１が積み重ねられ、さらに正面視で左右非対称の小幅厚板１が積み重ねられ、さらに正面視で対称な台形の小幅厚板１が順次積み重ねられる。
【００３３】
そして、最後に、左上隅部に、正面視で直角２等辺三角形状の小幅厚板１が積み重ねられて、前部側壁面材６が構成されている。
【００３４】
なお、各小幅厚板１は、柱または梁に固定されないで、柱１９または梁２８、２４あるいは土台２４に設けられた溝２３に係止されるように配置されている。
【００３５】
前記のように前部側壁面材６が構成されているため、各小幅厚板１の後面側では、接合用溝７は、上下方向（鉛直方向）に直線状に連続するようになっている。
【００３６】
また、前記の前部側壁面材６の後面に、前記の各傾斜上面と直交する方向に、左下隅から、直角２等辺三角状の小幅厚板２が配置されると共に、前部側の小幅厚板１における後面側の接合用溝７と、後部側の小幅厚板２における接合用溝７とが、前後の部材の重合面を中心にして対称に配置されることで、閉鎖接合用孔９が形成されていく。
【００３７】
以下前記と同様、左上から右下方向の４５°に傾斜している傾斜上面に、左右対称な正面台形状の小幅厚板２が配置されて、柱１９または土台または下部梁２４に溝２３に嵌合された状態で順次複数積み重ねられ、その最上部の傾斜上面に、ほぼ耐震壁の対角方向中央に位置し、右下隅部に直角な角部を有し、左右両端部が非対称形状の小幅厚板２、次いで点対称で正面菱形形状の小幅厚板２、さらに左上隅部に直角な角部を有し、左右両端部が非対称形状の小幅厚板２、左右対称の台形形状の小幅厚板２、そして最後に、右上隅部に、正面視で直角２等辺三角形状の小幅厚板２が積み重ねられ、柱１９または土台または下部梁２４に溝２３に嵌合されて、後部側壁面材７が構成されている。また、後部側の各小幅厚板２は、前部側の小幅厚板１により前方への移動が拘束された状態で配置される。尤も、前部側の各小幅厚板１と後部側の各小幅厚板２とは、下側から交互に積み重ねるようにしてもよい。
【００３８】
このように、前部側の各小幅厚板１と後部側の各小幅厚板２が積み重ねられることにより、左右方向に一定のピッチで上下方向に鉛直な閉鎖接合用孔９が、左右方向に間隔をおいて平行に複数（図示の場合は３つ）形成されている。
【００３９】
各接合用溝７及び閉鎖接合用孔９としては、図４に示すような形態以外にも、各種の形態が考えられるが、木製接合部材を閉鎖接合用孔９にセットした場合に、部材相互を重合面に向って押圧して、両者を密着させるための傾斜面を備えた形態であるのが望ましい。また、木製接合部材を閉鎖接合用孔９にセットした場合に、部材長手方向に直角な支承面を備えた形態であると、部材長手方向のせん断力を確実に伝達することができるので望ましい。一対又は複数（図示の場合は２部材）の木製接合部材からなる楔式接合装置５とすると、楔式接合装置５の配置作業、圧入作業が容易になり、耐震壁の組み立てが容易になる。
【００４０】
前記のような閉鎖接合用孔９にセットされ、前部側壁面材６と後部側壁面材８とを一体化する接合手段としては、例えば、図５及び図６に示すように、溝長手方向に伸びる一対の木製接合部材４を備えた楔式接合装置５が用いられている。
【００４１】
前記木製接合部材４は、前記重合面１１を中心として、係止凸部１２を間隔をおいて対称に有し、間隔をおいて対向する係止凸部１２の対向する内側面は、重合面側に向って基端側が接近するように傾斜する傾斜面とされている。前記係止凸部１２の傾斜面の傾斜角度は、前部側壁面材６又は後部側壁面材８の接合用溝７における係止凸部２９の傾斜角度と同じ角度に設定されている。
【００４２】
左右一対の木製接合部材４により、溝幅方向に拡幅可能にされており、各左右の木製接合部材４の背面側が溝長手方向に傾斜する傾斜面１８とされ、一方が溝長手方向に漸次板厚が厚くなるような傾斜面１８、他方が溝長手方向に漸次板厚が薄くなるような傾斜面１８とされ、傾斜面相互を重合させ、互いの板厚が厚くなるように圧入することで、両木製接合部材４を溝幅方向に移動させて、各木製接合部材４を、前部側壁面材６又は後部側壁面材８の接合用溝７の溝内側垂直壁面１３を押圧すると共に重合面１１に向って前部側壁面材６及び後部側壁面材８を押圧した状態で接合し、一体化している接合構造とされている。
【００４３】
図５には、木製接合部材４相互による溝幅方向の寸法を小さくした状態で、閉鎖接合用孔９に一対の木製接合部材４を挿入配置した状態が示され、図６には、各木製接合部材４を圧入して、溝幅方向に移動させて、各木製接合部材４を閉鎖接合用孔９の内側面に押圧させた状態が示されている。図５に示す形態では、木製接合部材４相互の当接面に傾斜面１８を備えた形態とすることで、木製接合部材４相互の背面相互で拡幅可能にされた楔式接合装置５を形成した形態である。このような楔式接合装置であると、木製接合部材４を溝幅方向に平行移動させて、溝内側垂直壁面１３に圧着させることができる。なお、木製接合部材４の板厚寸法は、接合用溝７の深さ寸法の略２倍とされている。
【００４４】
図示の形態では、閉鎖接合用孔９に一対の木製接合部材４を挿入して巾を広げることで、閉鎖接合用孔９の前記溝内側垂直壁面１３に圧着すると共に、両部材の各接合用溝７における係止用溝１４の傾斜面を利用して重合面側に向って各木製接合部材４により押圧して接近させることで、相互の重合面近傍で挟むようにして接合し一体化している。各木製接合部材４相互が重合される内側面である背面側を楔用の傾斜面１８とすることで、各木製接合部材４自身に傾斜面１８を設ける形態としている。前記のような各木製接合部材４を各閉鎖接合用孔９にセットすることで、各閉鎖接合用孔９を略埋め込み、前部側壁面材６と後部側壁面材８としての断面欠損がほとんど生じないようにしている。また、前部側壁面材６と、後部側壁面材８を、各閉鎖接合用孔９に設置される楔式接合装置５により、前部側壁面材６と後部側壁面材８とを一体化し、柱１９又は梁２４，２８に設けられた溝２３に嵌合係止した耐火・耐震壁３としている。
【００４５】
前記のように、楔式接合装置５により、一体化した一枚の面板状の壁板体としているため、これらにより、地震時において上部梁２８にその軸方向の水平力が作用した場合に、小幅厚板２に引張力または圧縮力が作用した場合、土台または梁あるいは柱１９に水平力等の力を伝達可能にされている。すなわち、地震時において、前部側壁面材の下部の小幅厚板１に圧縮力（図１において、上部梁２８の左から右方向に水平力が作用した場合）が作用している状態では、後部側壁面材８の下部の小幅厚板２では引張力に抵抗する構造であり、前部側壁面材の上部では圧縮力に抵抗する構造であり、後部側壁面材の上部では、圧縮力に抵抗する構造になっている。また、楔式接合装置５を構成している木製接合部材４にはせん断力により伝達し、せん断抵抗により抵抗する構造になっている。
【００４６】
また、前記第１実施形態の耐火・耐震壁３は、その上下両端部が、土台又は梁２４及び上部梁２８に当接しているため、上部梁２８からの鉛直荷重を耐火・耐震壁３を介して、土台又は下部梁２４に伝達することもできる。この場合、前部側壁面材６に作用する時計方向（右回りの）曲げモーメントは、楔式接合装置５を介して後部側壁面材８に反時計方向（左回りの）曲げモーメントとして作用し、互に打ち消し合うようにされる。梁軸方向の水平力が作用した場合も、前部側壁面材６に作用する時計方向（右回りの）曲げモーメントは、楔式接合装置５を介して後部側壁面材８にせん断力が伝達されて、柱１９又は梁２４に伝達される。
【００４７】
前記のように組立てた後、図２に示すように、上部梁２８が降下配置されて、上部梁２８下面側の溝２３に、前部側壁面材６および後部側壁面材８の上端部が嵌合され、また、上部梁２８の各角形貫通横孔２６に、各柱１９の上部角形ほぞ２２が嵌合され、上部梁２８の前後の角形横孔２６と柱１９の上部角形ほぞ２２に設けた角形横孔２６とに渡って、断面角形の込栓３１が圧入固定されて、前記各柱１９と上部梁２８とは固定されている。
【００４８】
前記のように、土台または下部梁２４と、一対の各柱１９と、上部梁２８に係合して前後の壁面材６、８が一体化された耐火・耐震壁３が構成されている。
【００４９】
なお、木材であるため、前部側壁面材６を構成している小幅厚板１或いは後部側壁面材８の端部を、当接する柱或いは木製土台又は梁２４（２８）に釘止めされた後に、楔式接合装置５を圧入することも可能である。前記の楔式接合装置５を介して、前後の壁面材間の応力の伝達が可能になっている。
【００５０】
閉鎖接合用孔９の長さ寸法が長くなる場合には、例えば、図７（ｂ）（ｃ）に示すような楔式接合装置５を設置するようにしてもよい。この場合の楔式接合装置５は、傾斜面１８及び境界段差部３７が、交互に連続するように、木製接合部材としての楔片３８を直列に設置した装置で、このような楔式接合装置５でも対応可能である。傾斜面１８及び境界段差部３７の形態を除けば、前記の楔片３８の形態は前記実施形態と同様であるので、同様な部分には、同様な符号を付している。図７（ａ）には、図７（ｂ）（ｃ）に示す楔式接合装置５を閉鎖接合用孔９に設置した状態の断面が示されている。なお、図１４に示すように、楔式接合装置５は、傾斜面１８及び境界段差部３７を交互に直列に備ええいると共に反対面側に対称に係止凸部１２を備えた、一対の長尺の木製接合部材４を使用することもできる。
【００５１】
各図に示す形態では、前記のように、前部側壁面材および後部側壁面材を構成している個々の小幅厚板１、２は、釘止めされていないので、上部梁２８にその軸方向の水平力が作用した場合、前部側壁面材側の小幅厚板１が圧縮力を負担する場合には、後部側壁面材８にも圧縮力伝達するようになり、また、後部側壁面材側の小幅厚板２が圧縮力を負担する場合には、前部側壁面材の小幅厚板１に圧縮力を伝達し、柱１９又は梁２４に伝達する構造になっている。
【００５２】
なお、図３（ｃ）では、前部側の小幅厚板１を柱１９の前面までの厚板として片面大壁とした形態であり、前部側壁面材６を構成している各小幅厚板１における柱側又は梁側に面する端部側の前面側には、連続した鉛直方向の段部１０又は水平方向の段部１０が形成されている。連続した鉛直方向の段部１０は、柱１９の溝２３又は柱側面に係合し、連続した水平方向の段部１０は、土台又は梁２４の溝２３又は梁側面に係合している。また、図３（ｄ）では、前部側の小幅厚板１及び後部側の小幅厚板２を、柱１９の前面又は後面までの厚板として両面大壁とした形態であり、前部側壁面材６を構成している各小幅厚板１及び後部側壁面材８を構成している各小幅厚板２における柱側又は梁側に面する端部側の前面側には、連続した鉛直方向の段部１０又は水平方向の段部１０が形成されている。また、前記と同様に連続した鉛直方向の段部１０は、柱１９の溝２３又は柱側面に係合し、連続した水平方向の段部１０は、土台又は梁２４の溝２３又は梁側面に係合している。
【００５３】
図８及び図９並びに図１０（ａ）（ｂ）には、本発明の第２実施形態の耐火・耐震壁３が示されている。この形態では、前部側壁面材６を構成している個々の小幅厚板１及び後部側壁面材８を構成している個々の小幅厚板２は、全体として長方形状の形態の小幅厚板１、２が用いられている。前部側壁面材６における再下部の小幅厚板１の幅寸法は、中間部に配置される複数枚の小幅厚板１よりも狭く、最上部に配置される小幅厚板１の幅寸法は、中間部に配置される複数枚の小幅厚板１よりも広くされ、各前部側壁面材６を構成している小幅厚板１は水平に積み重ねられるように配置される。
【００５４】
また、前部側壁面材６と同様な素材を、１８０°上下反転配置して、後部側壁面材８を構成している。従って、後部側壁面材８における再下部の小幅厚板１の幅寸法は、中間部に配置される複数枚の小幅厚板１よりも広く、最上部に配置される小幅厚板１の幅寸法は、中間部に配置される複数枚の小幅厚板１よりも狭くされ、各前部側壁面材６を構成している小幅厚板１は水平に積み重ねられるように配置される。
【００５５】
そのため、前部側に配置されている個々の小幅厚板１と、後部側に配置されている個々の小幅厚板２とは、上下方向に位置がずれた千鳥状配置とされているため、気密性が高くなるようにされている。前部側壁面材６を構成している各小幅厚板１、後部側壁面材８を構成している各小幅厚板２における接合用溝７、及びこれらの接合用溝７により形成される閉鎖接合用孔９は、図４（ａ）（ｂ）に示すように、部材幅方向の全長に渡って、一様な断面形態とされている。
【００５６】
前記のような接合用溝７を前部の小幅厚板１の後面及び後部の小幅厚板２の前面に、部材長手方向に直角に、設けられている形態の前後の小幅厚板１、２を組み込むようにして耐火・耐震壁３を構築した形態である。
【００５７】
前記の接合用溝７及び閉鎖接合用孔９が部材長手方向に直角に設けられている以外は、前記実施形態の場合と同様であるので、同様な部分には同様な符号を付して説明を省略する。
【００５８】
このような形態では、前後の小幅厚板１、２は、横向き（水平状態で）に配置されると、上から落とし込みにより配置され、楔式接合装置５により一体化され、上部梁２８が架設されることで、最上位に位置する小幅厚板１、２の上端部が、上部梁２８の溝２３に嵌合係止された耐火・耐震壁３が構成されている。
【００５９】
また、前記実施形態と同様に、なお、図１０（ｃ）では、前部側の小幅厚板１を柱１９の前面までの厚板として片面大壁とした形態であり、前部側壁面材６を構成している各小幅厚板１における柱側又は梁側に面する端部側の前面側には、連続した鉛直方向の段部１０又は水平方向の段部１０が形成されている。連続した鉛直方向の段部１０は、柱１９の溝２３又は柱側面に係合し、連続した水平方向の段部１０は、土台又は梁２４の溝２３又は梁側面に係合している。また、図１０（ｄ）では、前部側の小幅厚板１及び後部側の小幅厚板２を、柱１９の前面又は後面までの厚板として両面大壁とした形態であり、前部側壁面材６を構成している各小幅厚板１及び後部側壁面材８を構成している各小幅厚板２における柱側又は梁側に面する端部側の前面側には、連続した鉛直方向の段部１０又は水平方向の段部１０が形成されている。また、前記と同様に連続した鉛直方向の段部１０は、柱１９の溝２３又は柱側面に係合し、連続した水平方向の段部１０は、土台又は梁２４の溝２３又は梁側面に係合している。
【００６０】
また、前記第２実施形態の耐火・耐震壁３は、その上下両端部が、土台又は梁２４及び上部梁２８に当接しているため、上部梁２８からの鉛直荷重を耐火・耐震壁３を介して、土台又は下部梁２４に伝達することもできる。また、梁軸方向の水平力が作用した場合には、前部側壁面材６に作用する水平力は、楔式接合装置５を介して後部側壁面材８にせん断力が伝達されて、柱１９に伝達される。
【００６１】
図１１〜図１３は、本発明の第３実施形態の耐火・耐震壁３を示すものであって、この形態では、前部側壁面材６を構成している個々の小幅厚板１については、前記第２実施形態の場合と同じであり、また、後部側壁面材８を構成している個々の小幅厚板２については、前記第１実施形態の場合と同じ小幅厚板２と同じ部材を用いているので、同様な部分については、同様な符号を付している。
【００６２】
また、前記第３実施形態の耐火・耐震壁３も、その上下両端部が、土台又は梁２４及び上部梁２８に当接しているため、上部梁２８からの鉛直荷重を耐火・耐震壁３を介して、土台又は下部梁２４に伝達することもできる。また、梁軸方向の水平力が作用した場合には、前部側壁面材６に作用する水平力は、楔式接合装置５を介して後部側壁面材８にせん断力が伝達されて、柱１９、梁２４に伝達される。
【００６３】
第３実施形態を含めて各実施形態のように、前部側壁面材６を構成している各小幅厚板１の配置角度、或いは後部側壁面材８を構成している各小幅厚板２の配置角度にかかわらず、前部側壁面材６に用いる個々の小幅厚板１の後面側に設ける接合用溝７と、後部側壁面材８に用いる個々の小幅厚板２の前面側に設ける接合用溝７の幅等の大きさ及びピッチを合せるようにしておけば、前部側壁面材６の後面と、後部側壁面材８の前面を合致させた場合の重合面に対称に各接合用溝７を有する閉鎖接合用孔９を鉛直方向に容易に形成することができる。また、各閉鎖接合用孔９に、それぞれ楔式接合装置５を挿入配置して、拡幅させ、各楔式接合装置５における木製接合部材４を、接合用溝７の溝幅方向に圧着させると共に、対向する小幅厚板１、２を重合面に向って圧着して接合することができる。
【００６４】
各実施形態の概略施工手順は、以下のようになる。
（１）前後の壁面材あるいは仕上げ用あるいは外装用の小幅厚板１、２からなるパネルの端部を係合させるための差込係止溝２３を設けた土台または下部梁２４あるいは上部梁２８あるいは柱１９を設置する。
（２）上部梁２８は、後から架設する場合は撤去した状態とするか、又はパネル差込溝２３の深さ以上、柱１９上端部から浮かした状態で適宜仮保持した状態で配置し、小幅厚板１、２の端部を係止可能にする。
（３）前部側壁面材６または後部側壁面材８を構成するために、無垢木材または合成パネルからなる小幅厚板１、２を、柱１９間における土台または下部梁２４上に適宜積み重ねる。必要に応じ、土台または下部梁２４あるいは柱１９に釘止めする。
（４）対向する前部側壁面材６の連続した接合用溝７及び後部側壁面材８の連続した接合用溝７により形成される連続した閉鎖接合用孔９に、一対の木製接合部材４からなる楔式接合装置５を配置し、楔式接合装置５を拡幅して、対向する前部側壁面材６及び後部側壁面材８を一体化して耐震壁３を構成する。
（５）上部梁２８を柱１９上端部の胴付き部２０に落とし込む。
（６）上部梁２８と柱上端部に渡って、込栓３１を打ち込み一体化させる。
【００６５】
なお、本発明において使用される小幅厚板１，３、柱１９、上部梁２８または土台または下部梁２４、楔式接合装置５、込栓３１としては、堅木を用いることが望ましい。また、前記実施形態では、一対の木製接合部材の背面に平坦な傾斜面を設けた形態を示したが、本発明を実施する場合、図示を省略するが、木製接合部材の背面を断面凸形又は断面凹形とした傾斜面としてもよい。また、本発明を実施する場合、図示を省略するが、閉鎖接合用孔に複数対の木製接合部材を挿入設置するようにしてもよい。
【符号の説明】
【００６６】
１  小幅厚板（前面側）
２  小幅厚板（後面側）
３  耐火・耐震壁
４  木製接合部材
５  楔式接合装置
６  前部側壁面材
７  接合用溝
８  後部側壁面材
９  閉鎖接合用孔
１０  段部
１１  重合面
１２  係止凸部（木製接合部材側の）
１３  溝内側垂直壁面
１４  係止用溝
１８  傾斜面
１９  柱
２０  胴付き部
２１  縦孔又は貫通孔
２２  ほぞ
２３  溝
２４  土台又は下部梁
２６  角形横孔
２８  上部梁
２９  係止凸部（小幅厚板の）
３１  込栓
３７  境界段差部
３８  楔片
【図１】
2013147829.tif 000003
【図２】
2013147829.tif 000004
【図３】
2013147829.tif 000005
【図４】
2013147829.tif 000006
【図５】
2013147829.tif 000007
【図６】
2013147829.tif 000008
【図７】
2013147829.tif 000009
【図８】
2013147829.tif 000010
【図９】
2013147829.tif 000011
【図１０】
2013147829.tif 000012
【図１１】
2013147829.tif 000013
【図１２】
2013147829.tif 000014
【図１３】
2013147829.tif 000015
【図１４】
2013147829.tif 000016